(57)【要約】【課題】データパケットが伝送エラーなく正常に伝送されたか否かを正確に判断できる通信装置を提供する。【解決手段】データを送信する通信機Ａは、対象となるデータを複数個のデータパケットに変換し当該複数個のデータパケットを順次送信しており、送信する各データパケットに対して２種類の識別子を交互に付加する識別子付加手段を有する。これにより、通信機Ａからは、識別子「０」が付加されたデータパケットａと、識別子「１」が付加されたデータパケットｂとが交互に送信される。データを受信する通信機Ｂは、送信されたデータパケットを受信しており、同じ種類の識別子が付加されたデータパケットａあるいはデータパケットｂを連続して受信したときに伝送エラーと判断するエラー判断手段を有する。【選択図】図１
2007201836.tif 000002
【特許請求の範囲】
【請求項１】
伝送路を通してデータ通信を行う一対の通信機を備え、一方の通信機は、対象となるデータを複数個のデータパケットに変換し当該複数個のデータパケットを順次送信しており、送信する各データパケットに対して２種類の識別子を交互に付加する識別子付加手段を有し、他方の通信機は、送信されたデータパケットを受信しており、同じ種類の識別子が付加されたデータパケットを連続して受信したときに伝送エラーと判断するエラー判断手段を有することを特徴とする通信装置。
【請求項２】
前記一対の通信機は前記データパケットの送信と受信とを交互に行っており、それぞれ各データパケットの送信終了後に相手側の通信機が受信した各データパケットの処理に要する休止期間を経てからデータパケットの受信を開始させる受信タイミング制御手段を有することを特徴とする請求項１記載の通信装置。
【請求項３】
前記各通信機はそれぞれ２極の電極を有し、両通信機における少なくとも一方の電極は、それぞれ人体の異なる部位に接触し人体において互いの間に存在する部分に前記伝送路を形成することを特徴とする請求項１または請求項２に記載の通信装置。
【発明の詳細な説明】
【技術分野】
【０００１】
本発明は、伝送路を通してデータ通信を行う一対の通信機を備えた通信装置に関するものである。
【背景技術】
【０００２】
従来から、この種の通信装置として、対象となるデータを複数個のデータパケットに変換し、これら複数個のデータパケットを通信機から通信機に順次送信するものが知られている。受信側の通信機では、複数個のデータパケットを送信された順序と同じ順序で受信する。
【０００３】
ところで、この種の通信装置においては、通信機や伝送路等の不具合により伝送エラーが生じてデータパケットが正常に伝送されないことがある。そのため、この種の通信装置には、通信機から通信機にデータパケットが伝送エラーなく正常に伝送されたか否かを判断し、正常に伝送されなかったデータパケットについて再送信を行う機能が備わっている。
【０００４】
データパケットが伝送エラーなく正常に伝送されたか否かを判断する構成としては、たとえば図７に示すように、データパケットを正常に受信すると送信側の通信機Ａに対して確認信号（ＡＣＫ信号）を返信する機能を受信側の通信機Ｂに設け、通信機Ｂからの確認信号を受信したときに通信機Ｂへのデータパケットの伝送が正常に為されたと判断する機能を通信機Ａに設けて成るものがある（たとえば特許文献１参照）。すなわち、データパケットが伝送エラーなく正常に伝送されると、図７（ａ）、（ｃ）のように、通信機Ｂから通信機Ａに確認信号が返信され、通信機Ａにおいてはこの確認信号を受信することによってデータパケットが伝送エラーなく正常に送信されたものと判断する。
【特許文献１】特開平６−２３３３５３号公報（第３頁）
【発明の開示】
【発明が解決しようとする課題】
【０００５】
しかし、従来構成では、通信機や伝送路等からノイズが混入すると、図７（ｂ）のように通信機Ａから送信されたデータパケットが通信機Ｂで受信されず通信機Ｂから確認信号が返信されなかったにもかかわらず、通信機Ａにおいて、前記ノイズを通信機Ｂからの確認信号と誤認識し、データパケットが伝送エラーなく正常に伝送されたものと誤った判断をする可能性がある。
【０００６】
本発明は上記事由に鑑みて為されたものであって、データパケットが伝送エラーなく正常に伝送されたか否かを正確に判断できる通信装置を提供することを目的とする。
【課題を解決するための手段】
【０００７】
請求項１の発明では、伝送路を通してデータ通信を行う一対の通信機を備え、一方の通信機は、対象となるデータを複数個のデータパケットに変換し当該複数個のデータパケットを順次送信しており、送信する各データパケットに対して２種類の識別子を交互に付加する識別子付加手段を有し、他方の通信機は、送信されたデータパケットを受信しており、同じ種類の識別子が付加されたデータパケットを連続して受信したときに伝送エラーと判断するエラー判断手段を有することを特徴とする。
【０００８】
この構成によれば、送信側の通信機から送信される各データパケットには識別子付加手段によって２種類の識別子が交互に付加されるので、データパケットが伝送エラーなく正常に伝送されれば受信側の通信機において同じ種類の識別子が付加されたデータパケットを連続して受信することはない。つまり、受信側の通信機において同じ種類の識別子が付加されたデータパケットを連続して受信するのは伝送エラーが生じたときに限られるから、受信側の通信機に設けたエラー判断手段によってデータパケットが伝送エラーなく正常に伝送されたか否かを判断することができる。請求項１の構成では、このように受信側の通信機においてデータパケットが伝送エラーなく正常に伝送されたか否かを判断するので、データパケットが伝送エラーなく正常に伝送されたか否かを、通信機や伝送路等から混入するノイズの影響を受けることなく正確に判断できるという利点がある。
【０００９】
請求項２の発明は、請求項１の発明において、前記一対の通信機が前記データパケットの送信と受信とを交互に行っており、それぞれ各データパケットの送信終了後に相手側の通信機が受信した各データパケットの処理に要する休止期間を経てからデータパケットの受信を開始させる受信タイミング制御手段を有することを特徴とする。
【００１０】
この構成によれば、各通信機はそれぞれ、相手側の通信機が受信した各データパケットの処理に要する休止期間の間はデータパケットの受信を開始しないから、休止期間中にデータパケットの受信を開始する構成に比べて、相手側の通信機から送信されるデータパケット以外のノイズを受信する機会が低減し、結果的にノイズを受けにくくなる。
【００１１】
請求項３の発明は、請求項１または請求項２の発明において、前記各通信機がそれぞれ２極の電極を有し、両通信機における少なくとも一方の電極が、それぞれ人体の異なる部位に接触し人体において互いの間に存在する部分に前記伝送路を形成することを特徴とする。
【００１２】
この構成によれば、人体の一部を伝送路に含むという伝送路からノイズが混入しやすい構成であるにもかかわらず、請求項１または請求項２の構成によって、受信側の通信機においてデータパケットが伝送エラーなく正常に伝送されたか否かを判断するので、データパケットが伝送エラーなく正常に伝送されたか否かを、通信機や伝送路から混入するノイズの影響を受けることなく正確に判断できるという利点がある。
【発明の効果】
【００１３】
本発明は、送信側の通信機が、送信する各データパケットに２種類の識別子を交互に付加する識別子付加手段を有し、受信側の通信機が、同じ種類の識別子が付加されたデータパケットを連続して受信したときに伝送エラーと判断するエラー判断手段を有するから、受信側の通信機でデータパケットが伝送エラーなく正常に伝送されたか否かを判断できる。したがって、データパケットが伝送エラーなく正常に伝送されたか否かを、通信機や伝送路等から混入するノイズの影響を受けることなく正確に判断できるという利点がある。
【発明を実施するための最良の形態】
【００１４】
本実施形態の通信装置は伝送路を通してデータ通信を行う２台の通信機Ａ，Ｂを備えている。
【００１５】
通信機Ａと通信機Ｂとの間においては、対象となるデータを、それぞれ３種類の伝送符号「０」、「１」、「Ｓ」の配列からなる複数個のデータパケットに変換して伝送する。各データパケットはそれぞれ、伝送符号「０」と伝送符号「１」との組み合わせからなるデータ部分を有し、このデータ部分の前後にそれぞれ伝送符号「Ｓ」が付加されることにより、「Ｓ…（データ）…Ｓ」の形式に構成される通信信号である。伝送符号は、ＨレベルとＬレベルとの２値を１回反転させた形の波形を持つ電気信号であって、各種類ごとに時間軸方向の長さがそれぞれ異なるものである。受信側の通信機Ａ，Ｂにおいては、受信した電気信号を所定の周期でサンプリングし、各サンプリングごとにＨレベルとＬレベルとを判別することによって、伝送符号の配列を判別しデータパケットを得る。
【００１６】
ところで、本実施形態では通信装置として、人体の一部を通信機Ａと通信機Ｂとの間の伝送路に利用して近距離の通信を行う所謂人体通信に用いるものを例示する。
【００１７】
具体的に説明すると、本実施形態の通信装置は、図２に示すように、一方の通信機Ａが人体Ｈの腕に装着され、他方の通信機Ｂが所定位置に設置される。人体Ｈの腕に装着される通信機Ａはたとえば腕時計形に構成される。
【００１８】
各通信機Ａ，Ｂは２極の電極をそれぞれ有し、通信機Ａの第１の電極Ｐ１ａと通信機Ｂの第１の電極Ｐ１ｂとの間、および通信機Ａの第２の電極Ｐ２ａと通信機Ｂの第２の電極Ｐ２ｂとの間にそれぞれ電気的な経路を形成することにより、両通信機Ａ，Ｂ間に伝送路を形成する。通信機Ａには、腕の長手方向に沿って２極の電極Ｐ１ａ，Ｐ２ａがいずれも人体Ｈに接触するように設けられる。指先側に設けられる電極が第１の電極Ｐ１ａであって、肩側に設けられる電極が第２の電極Ｐ２ａである。
【００１９】
この通信装置では、通信機Ａを装着した人間が通信機Ｂの第２の電極Ｐ２ｂに対向する位置に立って、通信機Ａを装着した腕の指先で通信機Ｂの第１の電極Ｐ１ｂに触れることにより、通信機Ａと通信機Ｂとの間に伝送路が形成され、両通信機Ａ，Ｂ間においてデータ通信が可能になる。すなわち、人体Ｈにおける通信機Ａの第１の電極Ｐ１ａから指先までの部分によって両通信機Ａ，Ｂの第１の電極Ｐ１ａ，Ｐ１ｂ同士が電気的に接続され、人体Ｈにおける通信機Ａの第２の電極Ｐ２ａから足元までの部分、およびこの部分と通信機Ｂの第２の電極Ｐ２ｂとの静電結合によって両通信機Ａ，Ｂの第２の電極Ｐ２ａ，Ｐ２ｂ同士が電気的に接続されることになる。本実施形態の通信装置は、このようにして形成される伝送路を通すことによって、一対の通信機Ａ，Ｂ間で双方向に通信信号を伝送することができる。
【００２０】
以下に、各通信機Ａ，Ｂの構成について説明する。
【００２１】
通信機Ａは、図３（ａ）に示すように、通信信号を送信する送信部１と、通信信号を受信する受信部２と、送信部１および受信部２に接続されたマイコン（マイクロコンピュータ）３と、マイコンに接続された記憶部５および電池１３を備えている。送信部１は、交流信号を生成するとともに、送信する通信信号に基づいて前記交流信号を変調して変調信号とし、この変調信号に対応する電圧を２極の電極Ｐ１ａ，Ｐ２ａ間に印加することによって、通信信号を送信する。受信部２は、２極の電極Ｐ１ａ，Ｐ２ａ間の電圧を検出し、受信した変調信号を復調して通信信号を取り出すことによって、通信信号を受信する。マイコン３は、受信した通信信号を処理する信号処理部（信号処理手段）６と、受信部２の電源をオンオフする受信部電源制御部７と、送信部１の電源をオンオフする送信部電源制御部８と、信号処理部６を動作させるタイミングを制御する信号処理部制御部９とを備えている。信号処理部６は、受信した通信信号を一定周期でサンプリングするサンプリング部１０と、各サンプリングごとにＨレベルとＬレベルとを判別する符号判断部１１と、伝送符号の配列を判別しデータパケットを得る通信パケット判断部１２とで構成されている。
【００２２】
一方、通信機Ｂは、図３（ｂ）に示すように、通信機Ａ同様に送信部１と受信部２とマイコン３と記憶部５とを備えている。ただし、通信機Ｂでは、商用電源から電力供給を受ける電源部１３’が電池１３の代わりに設けられている。さらに、通信機Ｂは、他の処理装置を接続するためのインタフェース１４を有しており、他の処理装置との間でもデータ通信可能に構成される。
【００２３】
上述したように構成される通信装置は、たとえば人体側の通信機Ａの記憶部５に予め記憶された情報を通信機Ｂで読み取り通信機Ｂの記憶部５内の情報と照合するように動作させることによって、施設への入退時のＩＤ認証用に使用される。すなわち、人体に通信機Ａを装着しておけば、従来のように磁気カードやＩＣカードを用いることなく、ＩＤ認証を行うことができる。また、人体の健康状態を監視するシステムにも上記通信装置を使用することができ、この場合には、通信機Ａに人体の健康状態（脈拍など）を検出するセンサを設けて人体の状態を記憶部５に一旦記憶し、通信機Ａの記憶部５内の情報を通信機Ｂで定期的に読み出すことにより、通信機Ｂあるいは通信機Ｂに接続される他の処理装置において通信機Ａを装着した人体の健康状態を監視する。
【００２４】
また、各通信機Ａ，Ｂは、相手側の通信機Ａ，Ｂに対してデータ通信を開始させる起動信号、およびデータを受信したことを通知する確認信号（ＡＣＫ信号）を相手側の通信機Ａ，Ｂに通信信号として送信する機能をそれぞれ有する。確認信号は、伝送するデータパケットよりも時間軸方向に短い通信信号である。さらに、各通信機Ａ，Ｂは、データパケットの送信時に相手側の通信機Ａ，Ｂから確認信号を受信すると相手側の通信機Ａ，Ｂへのデータパケットの伝送が伝送エラーなく正常に為されたと判断する機能をそれぞれ有する。要するに、データパケットを送信する側の通信機Ａ，Ｂは、相手側の通信機Ａ，Ｂから起動信号を受けてデータパケットの送信を開始し、データパケットの送信後には、相手側の通信機Ａ，Ｂからの確認信号を受信した場合に、データパケットが正常に伝送されたものと判断し、一方、相手側の通信機Ａ，Ｂからの確認信号を受信しなかった場合に、データパケットが正常に伝送されなかったものと判断する。
【００２５】
ここにおいて、各通信機Ａ，Ｂを起動させる構成としては、一方の通信機Ａ，Ｂが起動信号を常時送信し、両通信機Ａ，Ｂ間に伝送路が形成されると自動的にデータ通信が開始する構成としてもよいが、本実施形態では、人体に装着される通信機Ａにおいては電池を電源として用いているので、通信機Ａの待機電力を低減するように、通信機Ｂを起動するための起動スイッチ（図示せず）を通信機Ｂに設け、この起動スイッチが押操作されたときに通信機Ｂから通信機Ａに起動信号が送信される構成としてある。この構成では、通信機Ｂの待機電力も低減し、通信装置の省電力化につながる。なお、起動スイッチとしては、通信機Ｂの第１の電極Ｐ１ｂに人体が触れた際にオンとなるように、電極Ｐ１ｂの基台に組み込まれたタクトスイッチやタッチセンサなどを用いてもよい。
【００２６】
ところで、本実施形態のように人体通信に用いる通信装置においては、金属導線を伝送路とする通信装置に比べて伝送路（人体の一部）からノイズが混入しやすいので、送信側の通信機Ａ，Ｂが、伝送路から混入したノイズを受信側の通信機Ａ，Ｂからの確認信号と誤認識し、データパケットが受信側の通信機Ａ，Ｂで正常に受信されていないにもかかわらず、データパケットが伝送エラーなく正常に伝送されたものと誤って判断する可能性が高くなる。
【００２７】
そこで、本実施形態では、データパケットの送信時に送信するデータパケットに２種類の伝送符号「０」、「１」を識別子として付加する識別子付加手段（図示せず）を各通信機Ａ，Ｂにそれぞれ設け、この識別子を受信側の通信機Ａ，Ｂで識別することにより受信側の通信機Ａ，Ｂでもデータパケットが正常に伝送されたか否かを判断できるようにしてある。
【００２８】
具体的に説明すると、識別子付加手段は、通信機Ａ，Ｂが複数個のデータパケットを順次送信する際に各データパケットに前記２種類の識別子を交互に付加する。ここでは、奇数番目に送信されるデータパケットに一方の識別子「０」を付加し（データパケットを「Ｓ…（データ）…Ｓ０」の形式とする）、偶数番目に送信されるデータパケットに他方の識別子「１」を付加する（データパケットを「Ｓ…（データ）…Ｓ１」の形式とする）。以下では、識別子「０」が付加されたデータパケットをデータパケットａとし、識別子「１」が付加されたデータパケットをデータパケットｂとする。
【００２９】
受信側の通信機Ａ，Ｂにおいては、各データパケットを送信された順序と同じ順序で受信するので、奇数番目に送信されるデータパケットａは正常に伝送されれば奇数番目に受信されることになり、偶数番目に送信されるデータパケットｂは正常に伝送されれば偶数番目に受信されることになる。つまり、送信側の通信機Ａ，Ｂからはデータパケットａとデータパケットｂとが交互に送信されているので、データパケットが正常に伝送されていれば受信側の通信機Ａ，Ｂはデータパケットａとデータパケットｂとを交互に受信することになり、データパケットａの次にデータパケットａ、あるいはデータパケットｂの次にデータパケットｂというように同じ識別子が付加されたデータパケットを連続して受信することはない。言い換えると、受信側の通信機Ａ，Ｂにおいて同じ識別子が付加されたデータパケットａあるいはデータパケットｂを連続して受信する場合は、データパケットが正常に伝送されていない場合に限られる。
【００３０】
そこで、本実施形態の各通信機Ａ，Ｂは、同じ識別子が付加されたデータパケットを連続して受信したときに、データパケットが正常に伝送されていない、つまり伝送エラーが生じたものと判断するエラー判断手段（図示せず）をそれぞれ有している。さらに、本実施形態の通信装置は、エラー判断手段の判断結果を確認信号の有無よりも優先して採用しており、たとえ送信側の通信機Ａ，Ｂにおいて確認信号が受信されていても受信側の通信機Ａ，Ｂのエラー判断手段で伝送エラーが生じたものと判断されると、データパケットが正常に伝送されなかったものと判断して、該当するデータパケットつまり正常に伝送されなかったデータパケットの再送信を実行する。
【００３１】
以下に、上述した通信装置の動作について図１を参照して説明する。なお、ここでは通信機Ａから通信機Ｂにデータパケットを送信する場合の動作を例示する。
【００３２】
通信機Ａは、起動信号を受けて起動するとまず、図１（ａ）に示すようにデータパケットａを通信機Ｂに対して送信する。図１（ａ）では、通信機Ｂがデータパケットａを正常に受信し通信機Ａに確認信号（ＡＣＫ信号）を返信しており、通信機Ａにおいては確認信号を受けてデータパケットａが正常に伝送されたと判断する。
【００３３】
次に通信機Ａは、図１（ｂ）に示すように、通信機Ｂに対してデータパケットｂを送信する。図１（ｂ）では、伝送エラーが生じて通信機Ｂがデータパケットｂを受信できなかったものとする。この場合には、通信機Ｂから確認信号の返信はなく、通信機Ａにおいては伝送エラーが生じたと判断されるはずである。しかし、ここにおいて通信機Ａは、伝送路から混入したノイズを通信機Ｂからの確認信号と誤認識しており、データパケットｂが正常に伝送されたものと誤って判断する。
【００３４】
その後、通信機Ａは、図１（ｃ）に示すように、通信機Ｂに対してデータパケットａを送信する。図１（ｃ）では、通信機Ｂがデータパケットａを正常に受信し通信機Ａに確認信号を返信しており、通信機Ａにおいては確認信号を受けてデータパケットａが正常に伝送されたと判断する。ただし、通信機Ｂにおいては、図１（ｂ）で先に送信されたデータパケットｂを受信できていないから、直前に受信したデータパケットは図１（ａ）で受信したデータパケットａである。要するに、通信機Ｂは、同じ識別子「０」が付加されたデータパケットａを連続して受信することになるから、伝送エラーが生じたものと判断する。
【００３５】
上述した構成によれば、送信側の通信機Ａにおいて、確認信号によりデータパケットが伝送エラーなく正常に伝送されたか否かを判断するとともに、受信側の通信機Ｂにおいても、エラー判断手段によって、データパケットが伝送エラーなく正常に伝送されたか否かを判断することができるから、結果的に、データパケットが正常に伝送されず確認信号が返信されなかった際に、伝送路から混入したノイズを通信機Ａが確認信号と誤認識してしまったとしても、通信機Ｂで伝送エラーが発生したものと判断されるから、データパケットが正常に伝送されていないという正しい判断をすることができる。
【００３６】
ところで、本実施形態の通信装置は、図４に示すように、通信機Ａから通信機Ｂにデータパケットや起動信号や確認信号などの通信信号を送信する状態と、通信機Ｂから通信機Ａに前記通信信号を送信する状態とを交互に切り替えて動作させることができる。すなわち、通信信号の送信と受信とを一対の通信機Ａ，Ｂに交互に行わせることができる。
【００３７】
ここで、各通信機Ａ，Ｂはそれぞれ、通信信号の受信を終了した後に、受信した通信信号に所定の処理を施す内部処理を実行しており、内部処理の実行中には通信信号の送受信を行うことはできない。したがって、通信機Ａ，Ｂが通信信号の受信動作から通信信号の送信動作に移行する際には、内部処理を実行する分だけ通信信号の送受信を休止する休止期間Ｔ１が生じる。一方、通信機Ａ，Ｂが通信信号の送信動作から通信信号の受信動作に移行する際には内部処理が不要であり、通信信号の送信が終了した直後に通信信号の受信動作に移行できる。
【００３８】
すなわち、たとえば通信機Ａから通信機Ｂへ通信信号を送信した後で、通信機Ｂから通信機Ａへ通信信号を送信する場合には、通信機Ｂは通信信号の受信を終了してから通信信号の送信動作に移行するまでに前記休止期間Ｔ１を要するのに対して、通信機Ａは通信信号の送信が終了した直後に通信信号の受信動作に移行するので、前記休止期間Ｔ１に、通信機Ａが通信信号を受信する状態にあるにもかかわらず通信機Ｂは通信信号を送信しない状態となる。この休止期間Ｔ１においては、通信機Ａが通信機Ｂからの通信信号を受信することは当然なく、通信機Ａがノイズを受ける機会が増加するだけである。
【００３９】
そこで、本実施形態の各通信機Ａ，Ｂは、図５に示すように、通信信号の送信を終了した直後に通信信号の受信を開始するのではなく、相手側の通信機Ａ，Ｂが通信信号の送信を開始するのと同時に通信信号の受信を開始するように、通信信号の送信を終了した時点から、相手側の通信機Ａ，Ｂが内部処理に要する休止期間Ｔ１を経て通信信号の受信を開始させる受信タイミング制御手段（図示せず）をそれぞれ有している。
【００４０】
これにより、各通信機Ａ，Ｂはそれぞれ、相手側の通信機Ａ，Ｂが内部処理のために通信信号の送信を休止している休止期間Ｔ１には通信信号の受信を休止することになる。したがって、上述した構成によれば、相手側の通信機Ａ，Ｂから通信信号が送信されていないにもかかわらず通信機Ａ，Ｂが通信信号を受信するということはなくなるから、結果的に、通信機Ａ，Ｂがノイズを受信する機会が低減することになり、通信装置の耐ノイズ性が向上するという利点がある。
【００４１】
本実施形態では各通信機Ａ，ＢはそれぞれＡＳＩＣを用いて構成されており、各通信機Ａ，Ｂにおいて通信信号の受信を休止する構成として、ＡＳＩＣの受信部２の電源を切らずに比較的簡単な構成で通信信号の受信を休止できるように、信号処理部６において前記休止期間Ｔ１に受信した電気信号のサンプリングを休止する構成を採用している。すなわち、各通信機Ａ，Ｂはそれぞれ、図６に示すように、相手側の通信機Ａ，Ｂが内部処理のために通信信号の送信を休止している休止期間Ｔ１に、受信部２の電源をオンとしたままで信号処理部６を休止させる（オフにする）ことにより、通信信号の受信を休止する。
【００４２】
なお、上記実施形態では、一方の通信機Ａが人体Ｈの腕に装着され、他方の通信機Ｂが所定位置に設置される通信装置を例示したが、この構成に限らず、通信機Ｂも通信機Ａ同様に人体Ｈの腕に装着される構成とし、両通信機Ａ，Ｂをそれぞれ別の人体Ｈの腕に装着して、通信機Ａを装着した人間と通信機Ｂを装着した人間とが対向する位置に立ち、通信機Ａを装着した腕の指先と通信機Ｂを装着した腕の指先とを触れ合わせることにより、一対の通信機Ａ，Ｂ間でデータ通信できるようにした通信装置に本発明を適用してもよい。また、本発明を人体通信用以外の通信装置に適用してもよい。
【図面の簡単な説明】
【００４３】
【図１】本発明の実施形態の動作を示す説明図である。
【図２】同上の通信装置の使用例を示す説明図である。
【図３】同上の各通信機の構成を示すブロック図である。
【図４】同上の他の動作を示すタイムチャートである。
【図５】同上のさらに他の動作を示すタイムチャートである。
【図６】同上のさらに他の動作を示すタイムチャートである。
【図７】従来例の動作を示す説明図である。
【符号の説明】
【００４４】
Ａ，Ｂ  通信機
Ｈ  人体
Ｐ１ａ，Ｐ１ｂ，Ｐ２ａ，Ｐ２ｂ  電極
Ｔ１  休止期間
【図１】
2007201836.tif 000003
【図２】
2007201836.tif 000004
【図３】
2007201836.tif 000005
【図４】
2007201836.tif 000006
【図５】
2007201836.tif 000007
【図６】
2007201836.tif 000008
【図７】
2007201836.tif 000009